(57)【要約】【課題】衣服を折り曲げなどでの傷めずに着衣形状で飾れる開閉可能な衣服用装飾額縁を提供する。【解決手段】モールディング材料の棹状フレーム材をカットして、長さ３００〜２４００ｍｍのフレームを繋ぎ合わせて、長方形状、又は正方形状、又は多角形状の枠体と前記枠体に透明性樹脂を取り付けている表面側フレーム体と、前記フレーム体の裏面に取り付けて、板材の表面には種々の色彩を持つフェルト、布を貼った額縁表示内面体と、前記額縁表示内面体の上部の中央位置にピン状を取り付けハンガー取り付部と、前記取り付部に掛けるハンガー形式の衣服掛けをもっている裏面側フレーム体とからなり、開閉が自由にできるように両フレーム体が蝶番によって接合している開閉可能な衣服装飾掛け額縁である。【選択図】図１
0003216366.tif 000002
【実用新案登録請求の範囲】
【請求項１】
幅２０〜５０ｍｍ、厚さ１５〜５０ｍｍのモールディング材料の棹状フレーム材をカットして、長さ３００〜２４００ｍｍのフレームを繋ぎ合わせて、縦３００〜１３００ｍｍ、横３００〜１０００ｍｍの長方形状、又は正方形状、又は多角形状の枠体と前記枠体に透明性樹脂を取り付けている表面側フレーム体と、前記表面側フレーム体の反対面に、厚さ２〜５ｍｍの板材を取り付けて、板材の表面には種々の色彩を持つフェルト材、又は布材、又は人口芝生材を貼った額縁表示内面体と、前記額縁表示内面体の上部の中央位置にピン状を取り付けたハンガー取り付部と、前記取り付部に掛けるハンガー形式の衣服掛けをもっている裏面側フレーム体とからなり、開閉が自由にできるように両フレーム体が蝶番によって接合していることを特徴とする開閉可能な衣服装飾掛け額縁。
【請求項２】
裏面側フレーム体の一部である前記額縁表示内面体は、平面状フェルト面に衣服を装飾的に掛ける衣服掛け収納面部と、前記収納面部に設けられたピン状のハンガー取り付部とを有し、衣服を着衣させる衣服型枠の形状の金属製線材、又は樹脂製パイプ、樹脂製棒材、又は樹脂製板材、又は紙製板材、又はそれらの材料の接合・組み立てのハンガー部と、を設けられていることを特徴とする請求項１に記載の開閉可能な衣服装飾掛け額縁。
【請求項３】
表面側フレーム体では、アクリル板押え用中桟とアクリル樹脂製透明板とフレームと、裏面側フレーム体としてユニフォーム収納部本体用中桟と額縁表示内面体とフレームからなっており、衣服を着衣させるハンガーを掛ける前記額縁表示内面体に貼った色彩を持つフェルト材、又は布材、又は人口芝生材は、厚さ０．１〜１０ｍｍで、種々の色彩として、青色、緑色、紫色、赤色、黒色、黄色、茶色、白色、灰色で選ばれた１〜５色にしており、２〜３ｍｍの合成板に張り付けて使用されていることを特徴とする請求項１、又は請求項２に記載の開閉可能な衣服装飾掛け額縁。
【請求項４】
ハンガー形式の衣服掛けであるハンガー部は、衣服を皺の存在を少なくして衣服を掛けることができる型枠を自由に形付けることが可能な材料である、径３〜１０ｍｍの太さ、３００〜３０００ｍｍの長さの金属製線、又はパイプで、或いは樹脂製細パイプを変形して、組み立て出来るものや、又は１〜１０ｍｍ厚さの樹脂製板材、又は紙製板材を衣服の形に合わせて裁断することによってハンガー状衣服掛け形状体になっていることを特徴とする請求項１〜請求項３のいずれかに記載の開閉可能な衣服装飾掛け額縁。
【請求項５】
表面側フレーム体となる本額縁は、前面側に保護用として厚さ２〜５ｍｍのアクリル樹脂製透明樹脂板とそれをフレームに固定する中桟をもって扉部とし、フェルト布の素材を張った合成板に衣服の収納スペースが設けられた前記額縁表示内面体の内面部である衣類収納部である本体の二か所に蝶番と錠前でもって表面側フレーム体と裏面側フレーム体とを開閉式の一体の額縁として構成され、前記額縁表示内面体を額縁枠体とで取り外し可能になっていることを特徴とする請求項１〜請求項４のいずれかに記載の開閉可能な衣服装飾掛け額縁。
【考案の詳細な説明】
【技術分野】
【０００１】  本考案は、記念的ユニフォームなどの衣服を飾る開閉可能な衣服用装飾掛け額縁に関する。
【背景技術】
【０００２】  従来、衣服を飾る衣服用額縁として、例えば、和服用額縁があり、この和服用額縁では、額縁本体の内部に和服を収納する収納部を形成し、この収納部の上部側にバーを横向きに架設し、和服の裾柄部分などが表に現れるように折り畳んだ状態でバーに引っ掛けて飾っているものが提案されている（特許文献１参照。）。【０００３】  このような和服用額縁では、折り畳んで飾るため、飾れる衣服が和服などに限られ、例えば、サッカーや野球などのユニフォームなどのように着衣状態に広げて飾る衣服には適していない。そのため、ユニフォームなどについては、着衣形状に広げた状態でピンを直接刺して額縁の裏板に係止することにより、着衣形状で飾るようにしている。【０００４】またレコード・レーザーディスク・コンパクトディスクなどのジャケットを、美術品・インテリア・アクセサリーとして楽しむための装飾用ジャケットケースとして提案されている（特許文献２参照）。【０００５】額縁本体にユニフォームを収納する収納部を設け、収納部にハンガー取付部を設ける。ユニフォームをハンガーの着衣部にユニフォームを着衣させる。ハンガーの引掛孔を収納部のハンガー取り付部に引っ掛け、ユニフォームを吊下げ状態で収納部に収納する。ユニフォームを傷めずに着衣形状で飾れる方法が提案されている（特許文献３参照）。【０００６】衣服を掛ける場合には、中心部に所定径の穴を設けた布材からなる方形又は多角形状のカバー本体に縁取り加工を施し、表面中心部に方形状に裁断し縫製加工を施した他の布材を複数折りにし、両端を連結することによって輪状に形成し、内部にゴム紐等の弾性材を挿着して中心部を絞った装飾布を前記穴を覆うように取り付け、カバー本体の裏面に前記穴の周辺に沿って裏当て布を取り付け、方形状のカバー本体の対峙する二つのコーナーに装飾体を設けた衣服カバーが提案されている（特許文献４参照）。【０００７】洋服を着衣される上で、実用的であると同時に装飾性を有するため、あらゆる場所に吊り下げることができ、係止手段と収納袋体を着脱自在に組合せることで、容易に製造することができると共に、係止手段の取り替えを可能にすることにより、あらゆる係止具を使用することができることを目的に、内部に種々の物品を収納、保管するために、襟部に相当する位置に開口部を、裾部に相当する位置に収納部分をそれぞれ形成した衣服形状を模した収納袋体と、収納袋体の両肩部に相当する位置に形成した、衣服用ハンガーを掛け止める掛止部と備えたものが提案されている（特許文献５参照）。【０００８】記念的ユニフォームなどの衣服を飾る開閉可能な衣服用装飾掛け額縁に関して、簡単にユニフォームの衣服を記念的、装飾的に着衣させるハンガー等によって取り付けできる額縁は存在していない。
【先行技術文献】
【特許文献】
【０００９】
【特許文献１】特開平１１−３４６８８７号公報
【特許文献２】実用新案登録第３０２３５２２号公報
【特許文献３】特開２００５−２０５１０６号公報
【特許文献４】特開２００３−２９２０７６号公報
【特許文献５】特開２００３−２１０３０５号公報
【考案の概要】
【考案が解決しようとする課題】
【００１０】衣服用額縁では、折り畳んで飾るため、飾れる衣服洋服などに限られ、例えば、サッカーや野球などのユニフォームなどのように着衣状態に広げて飾る衣服には折り畳んだり、皺の入った状態で飾ることになっている。このような衣服の飾り額縁には適していない。【００１１】  しかしながら、ユニフォームなどを飾る場合、ユニフォームにピンを直接刺すため、ユニフォームを傷める問題がある。本考案は、このような点に鑑みなされたもので、衣服を傷めずに着衣形状で飾ることができる装飾的に長時間記念的衣服用装飾性額縁を提供することを目的とする。
又、従来の額縁では、壁から降ろして、裏面を開けるなど手間がかかった衣類の入れ替えを容易にするために、壁に掛けたまま衣類の交換が出来る構造の扉式額縁とした。
【課題を解決するための手段】
【００１２】幅２０〜５０ｍｍ、厚さ１５〜５０ｍｍのモールディング材料の棹状フレーム材をカットして、長さ３００〜２４００ｍｍのフレームを繋ぎ合わせて、縦３００〜１３００ｍｍ、横３００〜１０００ｍｍの長方形状、又は正方形状、又は多角形状の枠体と前記枠体に透明性樹脂を取り付けている表面側フレーム体と、前記表面側フレーム体の反対面に、厚さ２〜５ｍｍの板材を取り付けて、板材の表面には種々の色彩を持つフェルトを貼った額縁表示内面体と、前記額縁表示内面体の上部の中央位置にピン状を取り付けたハンガー取り付部と、前記取り付部に掛けるハンガー形式の衣服掛けをもっている裏面側フレーム体とからなり、開閉が自由にできるように両フレーム体が蝶番によって接合している。【００１３】裏面側フレーム体の一部である前記額縁表示内面体は、平面状フェルト面に衣服を装飾的に掛ける衣服掛け収納面部と、前記収納面部に設けられたピン状のハンガー取り付部とを有し、衣服を着衣させる衣服型枠の形状の金属製線材、又は樹脂製パイプ、又は樹脂製棒材、又はそれらの材料の接合・組み立て出来るものや又は樹脂製板材、又は紙製板材を衣服の形に合わせて裁断することが出来るハンガー部と、を設けられている。場合によっては前記額縁表示内面体のハンガー取り付部に引っ掛けられる衣服を有するハンガー部に前記衣服掛け収納面部より外側に突出する衣服の一部を衣服の裏面側に折り畳んで保持する折り畳状態にしている。【００１４】前面側フレームでは、アクリル板押え用中桟とアクリル樹脂製透明板とフレームと、裏面側としてユニフォーム収納部本体用中桟と衣類収納用化粧板（額縁表示内面体）とフレームからなっており、衣服を着衣させるハンカーを掛ける前記額縁表示内面体に貼った色彩を持つフェルト材、又は布材、又は人口芝材は、厚さ０．１〜１０ｍｍで、種々の色彩として、青色、緑色、紫色、赤色、黒色、黄色、茶色、白色、灰色で選ばれた１〜５色にしており、国旗色にしたものもでよい。２〜３ｍｍの合成板に張り付けて使用されている。【００１５】ハンガー形式の衣服掛けであるハンガー部は、衣服を皺の存在を少なくして衣服を掛けることができる型枠を自由に形付けることが可能な材料である、径３〜１０ｍｍの太さ、３００〜３０００ｍｍの長さの金属製線、又はパイプで、或いは樹脂製細パイプを変形して、組み立て出来るものや、又は１〜１０ｍｍ厚さの樹脂製板材、又は紙製板材を衣服の形に合わせて裁断することによってハンガー状衣服掛け形状体になっており、好ましくは１〜３ｍｍ厚さ軟質塩化ビニル製板材で衣服の形に合わせてハサミ、ナイフ等刃物で裁断することが可能なハンガー状衣服掛け形状体になっている。【００１６】表面側フレーム体となる本額縁は、前面側に保護用として厚さ２〜５ｍｍのアクリル樹脂製透明樹脂板とそれをフレームに固定する中桟をもって扉部とし、フェルト布の素材を張った合成板に衣服の収納スペースが設けられた前記額縁表示内面体の内面部である衣類収納部である本体の二か所に蝶番と錠前でもって表面側フレーム体と裏面側フレーム体とを開閉式の一体の額縁として構成され、前記額縁表示内面体を額縁枠体とで取り外し可能になっている。【００１７】前面フレーム体である額縁本体は、前面に収納部が設けられた裏面側フレーム体である裏板部、およびこの裏板部の前面に開閉可能に設けられた額縁部を備えているものである。この構成では、前面に収納部が設けられた裏板部の前面に額縁部を開閉可能に設けたため、裏板部を壁に掛けたままでも衣服を容易に飾れる。
【考案の効果】
【００１８】衣服装飾掛け額縁によれば、ハンガーの着衣部に衣服を着衣させ、このハンガーの引掛部を額縁本体のハンガー取り付部に引っ掛け、衣服を額縁本体の収納部に吊下げ状態に収納するため、衣服を傷めずに着衣形状で飾ることができる。ハンガーは金属製で、且つ細い素材であるため着衣部の、特に肩の傾斜ラインに合わせて曲げることができる。同様に軟質塩化ビニル製のハンガーは衣服の形に合わせてハサミ等で容易に裁断出来るため衣服の皴を伸ばしながら飾れる利点がある。【００１９】額縁は前面の扉部と後面のユニフォーム収納部とで形成して、扉部を開閉できる構造にしたため、収納部を壁に掛けたままでも衣服を容易に飾ることができる。ハンガーの着衣部に、この着衣部より外側に突出する衣服の一部を着衣部の裏面側に折り畳んで保持するため、ハンガーで衣服を飾る状態に保持して収納部に容易に配置できるとともに、衣服を着衣形状のままコンパクトにまとめて飾ることができる。前面に収納部が設けられた前面に額縁部を開閉可能に設けたため、表板部を壁に掛けたままでも衣服を容易に記念的、装飾的に飾ることができる。
【図面の簡単な説明】
【００２０】
【図１】開閉可能な衣服装飾掛け額縁の斜視図
【図２】開閉可能な衣服装飾掛け額縁のハンガーを示した正面図
【図３】開閉可能な衣服装飾掛け額縁の枠体の分解状態の斜視図（ユニフォームなし）  Ａ：表面側フレーム体（扉側部）  Ｂ：裏面側フレーム体（ユニフォーム収納用本体部）
【図４】開閉可能な衣服装飾掛け額縁の枠体の分解状態の斜視図（ユニフォームあり）  Ａ：表面側フレーム体（扉側部）  Ｂ：裏面側フレーム体（ユニフォーム収納用本体部）
【図５】開閉可能な衣服装飾掛け額縁の断面図  Ｉ：天面（上から）見た断面図  ＩＩ：側面（横から）見た断面図  Ａ：表面側フレーム体（扉側部）  Ｂ：裏面側フレーム体（ユニフォーム収納用本体部）
【図６】開閉可能な衣服装飾掛け額縁の表面側フレーム体を開いた状態図
【図７】多角形（５角形）の衣服装飾掛け額縁
【図８】開閉可能な衣服装飾掛け額縁で軟質塩化ビニル製ハンガーを使用した状態図
【考案を実施するための形態】
【００２１】  以下、本考案の一実施の形態を図面を参照して説明する。
図１ないし図４に第１の実施の形態を示し、衣服用額縁で、この開閉可能な衣服用額縁によって飾る衣服としては、例えばサッカー、野球、バスケットボールなどの各種競技のアスリートの記念ユニフォームがある。
【実施例１】
【００２２】図１、及び図３に示すように幅２５ｍｍ、厚さ３０ｍｍのモールディング材料の棹状フレーム材をカットして、長さ８００ｍｍと９００ｍｍのフレームを繋ぎ合わせて、縦９００ｍｍ、横８００ｍｍの長方形状の枠体と前記枠体に２ｍｍ厚さのアクリル樹脂製透明板（ＵＶカット機能あり仕様）を取り付けている表面側フレーム体と、前記表面側フレーム体の反対面に、厚さ２．５ｍｍの合板板材に布材を貼りつけた化粧裏板を取り付けて、板材の表面には種々の色彩を持つ布を貼った額縁表示内面体と、前記額縁表示内面体の上部の中央位置にピン状を取り付けたハンガー取り付部と、前記取り付部に掛けるハンガー形式の衣服掛けをもっている裏面側フレーム体とからなり、開閉が自由にできるように両フレーム体が蝶番によって接合した。表面側フレーム体では、アクリル樹脂板押え用中桟とアクリル樹脂製透明板とフレームと、裏面側フレーム体としてユニフォーム収納部本体用中桟と衣類収納用化粧板（額縁表示内面体）とフレームから構成した。【００２３】図２、図４に示すように、裏面側フレーム体の一部である前記額縁表示内面体は、平面状布面に衣服を装飾的に掛ける衣服掛け収納面部と、前記収納面部に設けられたピン状のハンガー取り付部とを有し、衣服を着衣させる衣服型枠の形状の金属製線材、それらの材料の接合・組み立てのハンガー部とを設けた。【００２４】図３に示すように、ユニフォーム収納部本体用中桟と衣類収納用化粧板（額縁表示内面体）とフレームからなっている裏面側フレームの中心部である前記額縁表示内面体に貼った色彩を持つ布は、厚さ０．１ｍｍで、種々の色彩として、黒色の１色にしており、２．５ｍｍの合成板に張り付けて使用された。【００２５】ハンガー形式の衣服掛けであるハンガー部は、衣服を皺の存在を少なくして衣服を掛けることができる型枠を自由に形付けることが可能な材料である、径４ｍｍの太さ、１３００ｍｍの長さの金属製線を組み立てハンガー状衣服掛け形状体にした。【００２６】図５に示すように、表面側フレーム体となる本額縁は、表面側フレーム体に保護用として厚さ２ｍｍのアクリル樹脂製透明樹脂板とそれをフレームに固定する中桟をもって扉部とし、黒色の布の素材を張った合成板に衣服の収納スペースが設けられた。また図６に示すように前記額縁表示内面体の内面部である衣類収納部である本体の二か所に蝶番と錠前でもって表面側フレーム体と裏面側フレーム体とを開閉式の一体の額縁として構成され、前記額縁表示内面体を額縁枠体とで取り外し可能にした。
この額縁に有名なサッカー選手のユニフォームを皺なしに自由に簡単に飾って、展示的鑑賞ができた。
【実施例２】
【００２７】実施例１と同様にして額縁を製作した。図１、及び図３に示すように幅２５ｍｍ、厚さ３０ｍｍのモールディング材料の棹状フレーム材をカットして、長さ８００ｍｍと９００ｍｍのフレームを繋ぎ合わせて、縦９００ｍｍ、横８００ｍｍの長方形状の枠体と前記枠体に２ｍｍ厚さのアクリル樹脂製透明板（ＵＶカット機能あり仕様）を取り付けている表面側フレーム体と、前記表面側フレーム体の反対面に、厚さ２．５ｍｍの合板板材に布材を貼りつけた化粧裏板を取り付けて、板材の表面には種々の色彩を持つフェルトを貼った額縁表示内面体と、前記額縁表示内面体の上部の中央位置にピン状を取り付けたハンガー取り付部と、前記取り付部に掛けるハンガー形式の衣服掛けをもっている裏面側フレーム体とからなり、開閉が自由にできるように両フレーム体が蝶番によって接合した。表面側フレーム体では、アクリル樹脂板押え用中桟とアクリル樹脂製透明板とフレームと、裏面側フレーム体としてユニフォーム収納部本体用中桟と衣類収納用化粧板（額縁表示内面体）とフレームから構成した。【００２８】図２、図４に示すように、裏面側フレーム体の一部である前記額縁表示内面体は、平面状フェルト面に衣服を装飾的に掛ける衣服掛け収納面部と、前記収納面部に設けられたピン状のハンガー取り付部とを有し、図８に示すように衣服を着衣させる衣服型枠の形状の２ｍｍ厚さの塩化ビニール製樹脂板をユニフォーム形状の型紙様に裁断したものをハンガー部にした。【００２９】図３に示すように、ユニフォーム収納部本体用中桟と衣類収納用化粧板（額縁表示内面体）とフレームからなっている裏面側フレームの中心部である前記額縁表示内面体に貼った色彩を持つフェルトは、厚さ０．２ｍｍで、種々の色彩として、白色にしており、２．５ｍｍの合成板に張り付けて使用された。【００３０】ハンガー形式の衣服掛けであるハンガー部は、衣服を皺の存在を少なくして衣服を掛けることができる型枠を自由に形付けることが可能な材料である、衣服型枠の形状の２ｍｍ厚さの塩化ビニール製樹脂板をユニフォーム形状の型紙様に裁断したものをハンガー部にした【００３１】図５に示すように、表面側フレーム体となる本額縁は、表面側フレーム体に保護用として厚さ２ｍｍのアクリル樹脂製透明樹脂板とそれをフレームに固定する中桟をもって扉部とし、白色のフェルトの素材を張った合成板に衣服の収納スペースが設けられた。また図６に示すように前記額縁表示内面体の内面部である衣類収納部である本体の二か所に蝶番と錠前でもって表面側フレーム体と裏面側フレーム体とを開閉式の一体の額縁として構成され、前記額縁表示内面体を額縁枠体とで取り外し可能にした。
この額縁に有名なラグビー選手のユニフォームを皺なしに自由に簡単に飾って、展示的鑑賞ができた。
【実施例３】
【００３２】実施例１と同様で、図７に示すように６角形の額縁を製作した。幅２５ｍｍ、厚さ３０ｍｍのモールディング材料の棹状フレーム材をカットして、長さ８００ｍｍと６００ｍｍと３５０ｍｍのフレームを繋ぎ合わせての六角形形状の枠体と前記枠体に２ｍｍ厚さのアクリル樹脂製透明板（ＵＶカット機能あり仕様）を取り付けている表面側フレーム体と、前記表面側フレーム体の反対面に、厚さ２．５ｍｍの合板板材に布材を貼りつけた化粧裏板を取り付けて、板材の表面には種々の色彩を持つ布を貼った額縁表示内面体と、前記額縁表示内面体の上部の中央位置にピン状を取り付けたハンガー取り付部と、前記取り付部に掛けるハンガー形式の衣服掛けをもっている裏面側フレーム体とからなり、開閉が自由にできるように両フレーム体が蝶番によって接合した。表面側フレーム体では、アクリル樹脂板押え用中桟とアクリル樹脂製透明板とフレームと、裏面側フレーム体としてユニフォーム収納部本体用中桟と衣類収納用化粧板（額縁表示内面体）とフレームから構成した。【００３３】図２、図４に示すように、裏面側フレーム体の一部である前記額縁表示内面体は、平面状布面に衣服を装飾的に掛ける衣服掛け収納面部と、前記収納面部に設けられたピン状のハンガー取り付部とを有し、衣服を着衣させる衣服型枠の形状の樹脂製棒材、それらの材料の接合・組み立てのハンガー部とを設けた。【００３４】図３に示すように、ユニフォーム収納部本体用中桟と衣類収納用化粧板（額縁表示内面体）とフレームからなっている裏面側フレームの中心部である前記額縁表示内面体に貼った色彩を持つ布は、厚さ０．１ｍｍで、種々の色彩として、赤色の１色にしており、３ｍｍの合成板に張り付けて使用された。【００３５】ハンガー形式の衣服掛けであるハンガー部は、衣服を皺の存在を少なくして衣服を掛けることができる型枠を自由に形付けることが可能な材料である、径４ｍｍの太さ、１１００ｍｍの長さの樹脂製棒状を組み立てハンガー状衣服掛け形状体にした。【００３６】図５に示すように、表面側フレーム体となる本額縁は、表面側フレーム体に保護用として厚さ２ｍｍのアクリル樹脂製透明樹脂板とそれをフレームに固定する中桟をもって扉部とし、赤色の布の素材を張った合成板に衣服の収納スペースが設けられた。また図６に示すように前記額縁表示内面体の内面部である衣類収納部である本体の二か所に蝶番と錠前でもって表面側フレーム体と裏面側フレーム体とを開閉式の一体の額縁として構成され、前記額縁表示内面体を額縁枠体とで取り外し可能にした。
この額縁に有名なゴルフ選手のユニフォームを皺なしに自由に簡単に飾って、展示的鑑賞ができた。
【符号の説明】
【００３７】１    フレーム
２    アクリル樹脂製透明板
３    アクリル板押え用中桟
４    ユニフォーム収納部本体用中桟
５    ハンガー部
６    衣類収納用化粧板（背景板）
７    蝶番
８    本体用木枠
９    錠前凹
１０  錠前凸
１１  ハンガー取付部（ハンガーフック）
１２  衣服としてのユニフォーム
１３  軟質樹脂板、又は紙板製ハンガー
Ａ    表面側フレーム体（扉側部）
Ｂ    裏面側フレーム体（ユニフォーム収納用本体部）
【図１】
0003216366.tif 000003
【図２】
0003216366.tif 000004
【図３】
0003216366.tif 000005
【図４】
0003216366.tif 000006
【図５】
0003216366.tif 000007
【図６】
0003216366.tif 000008
【図７】
0003216366.tif 000009
【図８】
0003216366.tif 000010